(57)【特許請求の範囲】
【請求項１】
室外側に向けて開口する開口部と、開口部に取り付けた外側パネル及び内側パネルを備え、外側パネルは、透光性を有するものであり、内側パネルは、少なくとも一面が鏡面素材からなる反射面であって、一端が外側パネルの見付方向に沿って摺動して、反射面の向きを変えられることを特徴とする建具。
【発明の詳細な説明】
【技術分野】
【０００１】
本発明は、採光機能を有する建具に関する。
【背景技術】
【０００２】
従来、玄関ドアにおいて、特許文献１に示すように、ドア本体にガラス窓を設けたものがある。これにより、ガラス窓を通して玄関内に採光できる。
【先行技術文献】
【特許文献】
【０００３】
【特許文献１】特開２０１３−１３３６０５号公報
【発明の概要】
【発明が解決しようとする課題】
【０００４】
しかしながら、このような従来の玄関ドアでは、太陽の位置や高さによって採光範囲が定まるので、時間帯や季節によっては明るさが欲しい箇所に光が入らず、薄暗く感じられる場合があった。
【０００５】
本発明は、上記事情を鑑みたものであり、室内側の明るさが欲しい箇所に光を採り込める建具を提供することを目的とする。
【課題を解決するための手段】
【０００６】
本発明は、室外側に向けて開口する開口部と、開口部に取り付けた外側パネル及び内側パネルを備え、外側パネルは、透光性を有するものであり、内側パネルは、少なくとも一面が鏡面素材からなる反射面であって、一端が外側パネルの見付方向に沿って摺動して、反射面の向きを変えられることを特徴とする。
【発明の効果】
【０００７】
本発明によれば、内側パネルの反射面の向きを変えることにより、室外側から外側パネルを透過して進入する光を任意の方向に反射させられるので、室内側の明るさが欲しい箇所に光を採り込める。
【図面の簡単な説明】
【０００８】
【図１】建具の第一実施形態のドア部の横断面図である。
【図２】建具の第一実施形態の横断面図である。
【図３】建具の第一実施形態の縦断面図であり、（ａ）はドア部、（ｂ）は袖部である。
【図４】建具の第一実施形態の正面図であり、（ａ）は室内側、（ｂ）は室外側である。
【図５】（ａ）〜（ｅ）は、内側パネルのみを操作した場合の説明図である。
【図６】（ａ）〜（ｃ）は、内側パネルと外側パネルを一体に操作した場合の説明図である。
【図７】内側パネルと外側パネルをそれぞれ独立して操作した場合の説明図である。
【図８】（ａ）〜（ｃ）は、光と風の経路の説明図である。
【図９】（ａ）、（ｂ）は、建具の第二実施形態における光の経路の説明図である。
【図１０】建具の第三実施形態の縦断面図である。
【発明を実施するための形態】
【０００９】
以下、本発明の実施の形態を図面に基づいて説明する。この建具は、室外と室内を仕切るものとして、種々の場所で用いることができるものであるが、第一実施形態として、ここでは玄関ドアの場合を挙げる。なお、以下において左右とは、図４（ａ）（玄関ドアを室内側から見た場合）における左右を示すものとする。図２〜図４に示すように、この玄関ドアは、縦枠２０１と横枠２０２を四周枠組みした枠体の内周側に、ドア部Ｄと袖部Ｗを設けたものであり、より詳しくは、左右の縦枠２０１の中間に中間枠２０３を設けてあって、左側の縦枠２０１と中間枠２０３の間にドア部Ｄを設け、右側の縦枠２０１と中間枠２０３の間に袖部Ｗを設けてある。
【００１０】
ドア部Ｄは、図１に示すように、左側（縦枠２０１側）を吊元側とするドアパネル５を有し、ドアパネル５の左右方向中央より左寄りの位置に、上下に長い矩形の開口部３を形成してある。開口部３は、四周を開口部縦枠３１及び開口部横枠３２により囲ってあり、この開口部３に、外側パネル１を取り付けてあり、外側パネル１の室内側に内側パネル２を取り付けてある。
【００１１】
外側パネル１は、図２及び図３（ａ）に示すように、外縦框１１と外横框１２を四周框組みした框体の内周側に、透光性を有するガラスパネル１３を嵌め込んだものである。そして、上下の外横框１２を、それぞれ上下の開口部横枠３２に対して、外ステーアーム１４により回転可能に取り付けてある。この外側パネル１は、いわゆる縦すべり出し窓となっており、右側の外縦框１１の室内側の上下方向中央には、引手１５を設けてあって、図２の全閉状態から、室内側に向けて時計回りに９０度回転して全開状態となるものであって、開口部３を開閉自在になっている。
【００１２】
内側パネル２は、図２及び図３（ａ）に示すように、内縦框２１と内横框２２を四周框組みした框体の内周側に、ドアパネル５の表面と同素材の化粧パネル２３を嵌め込んであり、さらに室外側面の全面に、鏡面素材からなる反射面４を設けたものである。そして、外側パネル１の上下の外横框１２の室内側面に、ガイドレール２５を設けてあり、上下の内横框２２を、それぞれ上下のガイドレール２５に対して、内ステーアーム２４により回転可能に取り付けてある。内ステーアーム２４は、一端がガイドレール２５の左端に回転自在に接続してあり、他端が内横框２２の左右方向中央に回転自在に接続してある。さらに、内側パネル２の左側端の上下には摺動軸２６を設けてあり、上下の摺動軸２６が、それぞれ上下のガイドレール２５に沿って摺動自在となっている。これにより、内側パネル２は、図５に示すように、左右方向の一端がガイドレール２５（外側パネル１の見付方向）に沿って摺動しつつ、垂直軸周りに１８０度回転して、反射面４の向きを変えることができる。
【００１３】
また、開口部３の室外側には、図２及び図３（ａ）に示すように、固定式の網戸６を取り付けてあり、さらに、網戸６の室外側の左右方向中央には、ドアパネル５の上下にわたって延びる縦桟７を取り付けてある。縦桟７は、室内側に向けて先すぼまりであって、かつ左右両面が円弧状の凹曲面となっており、左右方向から風を採り込みやすくなっている。
【００１４】
一方、袖部Ｗは、図３（ｂ）に示すように、上下の横枠２０２の内周側に補助横枠２０４を設けてあり、右側の縦枠２０１と、中間枠２０３と、上下の補助横枠２０４の内周側に、上下に長い矩形の開口部１０３を形成してある。この開口部１０３に、外側パネル１０１を取り付けてあり、外側パネル１０１の室内側に内側パネル１０２を取り付けてある。
【００１５】
外側パネル１０１は、図２及び図３（ｂ）に示すように、外縦框１１１と外横框１１２を四周框組みした框体の内周側に、透光性を有するガラスパネル１１３を嵌め込んだものである。そして、上下の外横框１１２を、それぞれ上下の補助横枠２０４に対して、外ステーアーム１１４により回転可能に取り付けてある。この外側パネル１０１は、いわゆる縦すべり出し窓となっており、左側の外縦框１１１の室内側の上下方向中央には、引手１１５を設けてあって、図２の全閉状態から、室内側に向けて反時計回りに９０度回転して全開状態となるものであって、開口部１０３を開閉自在になっている。なお、この袖部Ｗの外側パネル１０１は、ドア部Ｄの外側パネル１と左右対称で略同様の構成である。
【００１６】
内側パネル１０２は、図２及び図３（ｂ）に示すように、内縦框１２１と内横框１２２を四周框組みした框体の内周側に、ドアパネル５の表面と同素材の化粧パネル１２３を嵌め込んであり、さらに室外側面の全面に、鏡面素材からなる反射面１０４を設けたものである。そして、外側パネル１０１の上下の外横框１１２の室内側面に、ガイドレール１２５を設けてあり、上下の内横框１２２を、それぞれ上下のガイドレール１２５に対して、内ステーアーム１２４により回転可能に取り付けてある。内ステーアーム１２４は、一端がガイドレール１２５の右端に回転自在に接続してあり、他端が内横框１２２の左右方向中央に回転自在に接続してある。さらに、内側パネル１０２の右側端の上下には摺動軸１２６を設けてあり、上下の摺動軸１２６が、それぞれ上下のガイドレール１２５に沿って摺動自在となっている。これにより、内側パネル１０２は、左右方向の一端がガイドレール１２５（外側パネル１０１の見付方向）に沿って摺動しつつ、垂直軸周りに１８０度回転して、反射面１０４の向きを変えることができる。なお、この袖部Ｗの内側パネル１０２は、ドア部Ｄの内側パネル２と左右対称で略同様の構成である。
【００１７】
続いて、外側パネル１，１０１と内側パネル２，１０２の動作について、詳述する。上記のとおり、外側パネル１，１０１は、開口部３，１０３に対して開閉自在に動作するものであり、内側パネル２，１０２は、外側パネル１，１０１に対して回転するものであって、外側パネル１，１０１と内側パネル２，１０２は、それぞれ独立して操作可能である。そこで、まず、図５に示すように、ドア部Ｄを例として、外側パネル１を閉鎖した状態のまま、内側パネル２のみを操作する場合について説明する。外側パネル１と内側パネル２が閉じられており、かつ内側パネル２の反射面４が室外側を向いた状態から（図５（ａ））、内側パネル２の右側の内縦框２１に手をかけて室内側に引くと、内側パネル２は内ステーアーム２４に支持されて、左端の摺動軸２６がガイドレール２５を右方向に摺動しつつ、時計回りに回転する（図５（ｂ））。内側パネル２をガイドレール２５（外側パネル１の見付方向）に対して９０度となるまで回転させると（図５（ｃ））、内側パネル２は、外側パネル１の左端から、外側パネル１の見付幅の略１／４だけ右側に寄って位置する。このように、内側パネル２の回転の過程においては、摺動軸２６が右方向へ移動するので、内側パネル２の摺動軸２６側端部と外側パネル１の右側の外縦框１１の間及び内側パネル２の摺動軸２６側端部と外側パネル１の左側の外縦框１１の間の両方に、隙間が生じる。さらに回転させると、反射面４が室内側を向き（図５（ｄ））、摺動軸２６がガイドレール２５の右端まで到達すると、反射面４が完全に室内側向きとなり、内側パネル２は、当初と同じ位置で、１８０度反転した状態となる（図５（ｅ））。なお、袖部Ｗの内側パネル１０２については、ドア部Ｄの内側パネル２と左右対称に動作する。
【００１８】
次に、図６に示すように、袖部Ｗを例として、外側パネル１０１と内側パネル１０２を一体に操作する場合について説明する。外側パネル１０１と内側パネル１０２が閉じられており、かつ内側パネル１０２の反射面１０４が室外側を向いた状態から（図６（ａ））、外側パネル１０１の引手１１５に手をかけて室内側に引くと、外側パネル１０１は内側パネル１０２と一体になったまま、外ステーアーム１１４に支持されて、室内側にすべり出しながら反時計周りに回転する（図６（ｂ））。そして、外側パネル１０１は、玄関ドアの見付方向に対して９０度となるまで回転し（図６（ｃ））、この際、外側パネル１０１は、開口部１０３の右端から、開口部１０３の見付幅の略１／４だけ左側に寄って位置する。このように、外側パネル１０１の回転の過程においては、外側パネル１０１と中間枠２０３の間及び外側パネル１０１と右側の縦枠２０１の間の両方に、隙間が生じる。なお、ドア部Ｄの外側パネル１については、袖部Ｗの外側パネル１０１と左右対称に動作する。
【００１９】
そして、外側パネル１，１０１と内側パネル２，１０２はそれぞれ独立して操作可能であるから、図７に示すように、たとえば袖部Ｗにおいて、外側パネル１０１を開いた状態で、さらに外側パネル１０１に対して内側パネル１０２を回転させることもできる。ドア部Ｄの外側パネル１及び内側パネル２についても同様である。
【００２０】
このように構成した建具の第一実施形態においては、外側パネル１，１０１と内側パネル２，１０２を適宜操作することにより、光や風を自在に採り込むことができる。すなわち、袖部Ｗの例では、図８（ａ）に示すように、内側パネル１０２を開いて反射面１０４の向きを調整することで、室外側から外側パネル１０１を透過して進入する光を任意の方向に反射させて、室内側の明るさが欲しい箇所に光を採り込める。また、図８（ｂ）に示すように、外側パネル１０１と内側パネル１０２を一体にして開くことにより、光とともに風も採り込むことができる。この際、外側パネル１０１の左右両側に、開口部１０３の縁部との隙間が生じるので、両側から風を採り込める。さらに、図８（ｃ）に示すように、外側パネル１０１と内側パネル１０２をそれぞれ独立して操作して、外側パネル１０１により、風量や風向を調整し、内側パネル１０２により、光の反射方向を調整することができる。もちろん、ドア部Ｄにおいても同様に光や風を採り込める。そして特に、左右に並んだドア部Ｄと袖部Ｗにおいて、外側パネル１，１０１及び内側パネル２，１０２の開き方向（回転方向）が左右逆向きの互い違いになっていることで、より自在な箇所に光を採り込める。
【００２１】
また、光が眩しい場合や、暑い場合には、外側パネル１，１０１と内側パネル２，１０２を両方閉じた状態にすれば、開口部３，１０３を完全に塞いで、光を遮ることができる。さらに、開口部３，１０３を塞ぐことで、特に夜間において、室外側から室内の人の動きを察知されることを防ぐことができる。また、鏡面素材からなる反射面４，１０４を室内側に向ければ、姿見として使用することもできる。一方、常に反射面４，１０４が室内側を向いていると、使用者が意図せず映り込んで気になる場合があるので、普段は反射面４，１０４を室外側に向けておき、姿見として使用したい時だけ、反射面４，１０４を室内側に向けることもできる。そして、反射面４，１０４の裏側は、ドアパネル５と同素材の化粧パネル２３，１２３からなるので、反射面４，１０４を室外側に向けておけば、室内側から見た際に、ドアパネル５と内側パネル２，１０２が同素材となるので、統一感のある意匠となる。
【００２２】
また、建具の第二実施形態として、第一実施形態における内側パネルの化粧パネルの替わりに、鏡面素材からなる反射パネルを設けてもよい。これにより、図９に示すように（袖部Ｗの例）、内側パネル１０２の両面が光を反射する反射面１０４ａ，１０４ｂとなる。このように構成した第二実施形態においては、図８（ａ）に示すように、内側パネル１０２の摺動軸１２６側端部と外側パネル１０１の左側の外縦框１１１の間から進入する光を、内側パネル１０２の一方の反射面１０４ａにより左方向へ反射させることもできるし、内側パネル１０２の摺動軸１２６側端部と外側パネル１０１の右側の外縦框１１１の間から進入する光を、内側パネル１０２の他方の反射面１０４ｂにより右方向へ反射させることもできる。よって、内側パネル１０２の片面のみが反射面である場合と比べて、太陽の位置や高さによらずより自在な箇所に光を採り込める。
【００２３】
さらに、建具の第三実施形態として、図１０に示すように（ドア部Ｄの例）、開口部を上下に分割して、上側の開口部３ａと下側の開口部３ｂのそれぞれに、外側パネル１ａ，１ｂと内側パネル２ａ，２ｂを設けてもよい。このように開口部を上下に複数設けた第三実施形態においては、よりきめ細かい採光量や採風量の調整が可能である。そして特に、上下に並んだ開口部３ａ，３ｂにおいて、外側パネル１ａ，１ｂ及び内側パネル２ａ，２ｂの開き方向（回転方向）を左右逆向きの互い違いにすれば、光や風を自在に採り込むことができる。
【００２４】
本発明は、上記の実施形態に限定されない。たとえば、ドア部と袖部を有する玄関ドアにおいて、袖部にのみ開口部を設け、そこに外側パネル及び内側パネルを取り付けたものであってもよい。この場合、ドア部の意匠は自由に選択できる。また、袖部の外側パネルを嵌め殺し窓として、その室内側に、反転可能な内側パネルを取り付けてもよい。このように、少なくとも、内側パネルが外側パネルに対して回転自在であればよく、外側パネルは、可動なものでも固定されたものでもよい。また、親子仕様の玄関ドアにおいて、親ドアと子ドアの少なくとも一方に開口部を設け、そこに外側パネル及び内側パネルを取り付けたものであってもよい。さらに、この建具は、玄関ドア以外にも、室外と室内を仕切るものとして、種々の場所で用いることができる。また、開口部は、上下に三つ以上並べて設けてもよいし、左右に複数並べて設けてもよい。さらに、反射面は、鏡面でなくても、平滑な面を有していて、ある程度光を反射するものであればよく、多少の光を透過するものであってもよい。
【符号の説明】
【００２５】
１，１０１  外側パネル
２，１０２  内側パネル
３，１０３  開口部
４，１０４  反射面
【図１】
0006360772.tif 000002
【図２】
0006360772.tif 000003
【図３】
0006360772.tif 000004
【図４】
0006360772.tif 000005
【図５】
0006360772.tif 000006
【図６】
0006360772.tif 000007
【図７】
0006360772.tif 000008
【図８】
0006360772.tif 000009
【図９】
0006360772.tif 000010
【図１０】
0006360772.tif 000011